(57)【要約】【課題】反力受け専用の構造物を構築する必要がなく、しかも、山留め杭に対して大きな押込み力を作用させることが可能な山留め杭の載荷試験方法。【解決手段】地中に埋設した山留め杭１にジャッキ７により下方への押込み力を作用させて載荷試験を行う山留め杭の載荷試験方法であって、山留め杭１による山留めの対象である構築物の躯体５を構築した後、その躯体５を反力受けとしてジャッキ７により山留め杭１に押込み力を作用させる。【選択図】図１
2007211520.tif 000002
【特許請求の範囲】
【請求項１】
地中に埋設した山留め杭にジャッキにより下方への押込み力を作用させて載荷試験を行う山留め杭の載荷試験方法であって、
前記山留め杭による山留めの対象である構築物の躯体を構築した後、その躯体を反力受けとして前記ジャッキにより前記山留め杭に押込み力を作用させる山留め杭の載荷試験方法。
【請求項２】
前記山留め杭近傍の地盤を掘削して山留め杭の上方部分を露出させるとともに、その掘削部分に前記躯体を構築した後、その躯体と前記山留め杭の上方露出部分を連結し、かつ、その山留め杭の上方露出部分と下方埋設部分を切断分離して前記ジャッキを介装した状態で、前記躯体と山留め杭の上方露出部分を反力受けとして前記ジャッキにより前記山留め杭の下方埋設部分に押込み力を作用させる請求項１に記載の山留め杭の載荷試験方法。
【請求項３】
前記山留め杭の上方露出部分と下方埋設部分を切断分離する前に、その切断分離箇所の裏側を遮水処理する請求項２に記載の山留め杭の載荷試験方法。
【発明の詳細な説明】
【技術分野】
【０００１】
本発明は、地中に埋設した山留め杭にジャッキにより下方への押込み力を作用させて載荷試験を行う山留め杭の載荷試験方法に関する。
【背景技術】
【０００２】
このような山留め杭の載荷試験方法では、ジャッキの反力を受け止めるための手段が必要で、従来、載荷試験の対象となる山留め杭の近くに反力杭を複数本打設し、さらに、その反力杭に反力桁を組み付けて反力受け専用の構造物を構築し、その構造物をジャッキの反力受けとして載荷試験を行うのが一般的であった（このような従来方法は、当業者の間で広く知られているものであるが、その技術内容について詳しく言及した特許文献などは見当たらないので、先行技術文献は示していない）。
また、従来、載荷試験の対象となる杭をその長手方向に複数に分割し、互いに隣接する分割杭の間にジャッキを配置して、一方の分割杭をジャッキの反力受けとして、他方の分割杭に押込み力を作用させて載荷試験を行う方法も提案されている（例えば、特許文献１参照）。
【０００３】
【特許文献１】特開平８−６２０６６号公報
【発明の開示】
【発明が解決しようとする課題】
【０００４】
しかし、反力受け専用の構造物を構築する従来の方法では、載荷試験のためにわざわざ反力受け専用の構造物を構築する必要があり、しかも、その構造物はかなり大掛かりなものとなるため、山留め杭の載荷試験に多くの費用と期間を要するという欠点がある。
また、上記特許文献１に記載の方法では、ジャッキの反力を分割杭が受け止めるため、より具体的には、分割杭と地盤との摩擦力を反力とするため、載荷試験の対象杭に対してあまり大きな押込み力を作用させることができず、載荷試験の実施に際して対象杭に作用させる押込み力に制約を受けるという欠点がある。
【０００５】
本発明は、このような従来の問題点に着目したもので、その目的は、反力受け専用の構造物を構築する必要がなく、しかも、山留め杭に対して大きな押込み力を作用させることが可能な山留め杭の載荷試験方法を提供することにある。
【課題を解決するための手段】
【０００６】
本発明の第１の特徴構成は、地中に埋設した山留め杭にジャッキにより下方への押込み力を作用させて載荷試験を行う山留め杭の載荷試験方法であって、前記山留め杭による山留めの対象である構築物の躯体を構築した後、その躯体を反力受けとして前記ジャッキにより前記山留め杭に押込み力を作用させるところにある。
【０００７】
本発明の第１の特徴構成によれば、山留め杭による山留めの対象である構築物の躯体を構築した後、その躯体を反力受けとしてジャッキにより山留め杭に押込み力を作用させるので、つまり、山留めの対象となる構築物の躯体を先に構築して、その躯体をジャッキの反力受けとして利用するので、反力受け専用の構造物を構築する必要はなく、山留め杭の載荷試験を少ない費用で短期間のうちに行うことができる。
そして、その山留めの対象となる構築物の躯体は、当然のことながら、かなり大掛かりなものであるため、山留め杭に大きな押込み力を作用させて載荷試験を行うことも可能となる。
なお、構築物の躯体に関しては、必ずしも完成状態にまで構築する必要はなく、ジャッキの反力受けとして使用できる程度にまで構築した後であれば、躯体構築の途中においても実施することができる。
【０００８】
本発明の第２の特徴構成は、前記山留め杭近傍の地盤を掘削して山留め杭の上方部分を露出させるとともに、その掘削部分に前記躯体を構築した後、その躯体と前記山留め杭の上方露出部分を連結し、かつ、その山留め杭の上方露出部分と下方埋設部分を切断分離して前記ジャッキを介装した状態で、前記躯体と山留め杭の上方露出部分を反力受けとして前記ジャッキにより前記山留め杭の下方埋設部分に押込み力を作用させるところにある。
【０００９】
本発明の第２の特徴構成によれば、山留め杭近傍の地盤を掘削して山留め杭の上方部分を露出させるとともに、その掘削部分に前記躯体を構築した後、その躯体と山留め杭の上方露出部分を連結し、かつ、その山留め杭の上方露出部分と下方埋設部分を切断分離してジャッキを介装した状態で、前記躯体と山留め杭の上方露出部分を反力受けとしてジャッキにより山留め杭の下方埋設部分に押込み力を作用させるので、例えば、床付け面まで地盤を掘削して地下構造物を構築するような場合、その地下構造物の躯体と山留め杭の上方露出部分を反力受けとして合理的な載荷試験の実施が可能となる。
【００１０】
本発明の第３の特徴構成は、前記山留め杭の上方露出部分と下方埋設部分を切断分離する前に、その切断分離箇所の裏側を遮水処理するところにある。
【００１１】
本発明の第３の特徴構成によれば、山留め杭の載荷試験前に切断分離箇所の裏側を遮水処理するので、たとえ切断箇所の裏側に地下水の水路があり、載荷試験により山留め壁にクラックが入った場合でも、構築物の躯体側に漏水が発生することが回避される。
【発明を実施するための最良の形態】
【００１２】
本発明による山留め杭の載荷試験方法の実施の形態を図面に基づいて説明する。
この載荷試験の対象となる山留め杭１は、図２の（イ）に示すように、オーガー（図示せず）などによって掘削された円形の杭形成穴２内に芯材としてＨ型鋼３を挿入し、さらに、ソイルセメント４などを打設して構築される。なお、杭形成穴２としては、円形に限らず、安定液を用いて掘削された矩形の場合もある。
山留め杭１を構築した後、図２の（ロ）および（ハ）に示すように、山留め杭１の近傍の地盤を地表面ＧＬから床付け面ＦＬまで掘削して山留め杭１の上方部分１ａを露出させ、その掘削部分に山留めの対象となる構築物の躯体５を構築し、山留め杭１の上方露出部分１ａと下方埋設部分１ｂの裏側に薬剤等を注入して遮水壁６を形成し、遮水壁６による遮水処理を施す。
【００１３】
その後、構築物の躯体５と山留め杭１の上方露出部分１ａを連結し、図２の（ニ）および図１に示すように、山留め杭１の上方露出部分１ａと下方埋設部分１ｂをガス切断機などにより切断分離して、その間に載荷試験用の油圧式のジャッキ７を挿入する。
そして、山留め杭１の上方露出部分１ａを介して構築物の躯体５により反力を受け止められた状態で、つまり、山留め杭１の上方露出部分１ａと構築物の躯体５を反力受けとして油圧式のジャッキ７により山留め杭１の下方埋設部分１ｂに下方への押込み力を作用させて圧力計（図示せず）などにより山留め杭１の鉛直耐力を測定するのである。
なお、載荷試験の計測に必要なひずみ計などの計測治具は、山留め杭１の構築時に設置される。
【００１４】
〔別実施形態〕
（１）先の実施形態では、構築物の躯体５を構築した後、山留め杭１の上方露出部分１ａと下方埋設部分１ｂの裏側に遮水壁６を形成し、その後、躯体５と山留め杭１の上方露出部分１ａを連結した例を示したが、先に構築物の躯体５と山留め杭１の上方露出部分１ａを連結し、その後、遮水壁６を形成して山留め杭１の上方露出部分１ａと下方埋設部分１ｂを切断分離することもできる。
また、山留め杭１の上方露出部分１ａと下方埋設部分１ｂをガス切断機などにより切断分離して、その間にジャッキ７を挿入した例を示したが、山留め杭１の切断分離作業とジャッキ７の挿入作業を容易にするため、例えば、山留め杭１の上方露出部分１ａと下方埋設部分１ｂのＨ型鋼３を予め分割しておき、両Ｈ型鋼３の間に取り外し容易な連結ピースを介在させてボルト連結しておくなどの手段を採用することもできる。
さらに、遮水壁６は必ずしも必要なものではなく、山留め杭１の構築部分に地下水の水路がない場合には、遮水壁６を形成することなく載荷試験を行うこともできる。
【００１５】
（２）先の実施形態では、地表面ＧＬから床付け面ＦＬまで掘削し、その掘削部分に構築物の躯体５を構築した例を示したが、地表面ＧＬに構築物の躯体５を構築し、その躯体５を反力受けとして、躯体５と山留め杭１との間にジャッキ７を挿入して載荷試験を実施することもできる。
その場合には、山留め杭１全体に押込み力を作用させて載荷試験を行うことになり、また、遮水壁６も不要となる。
【図面の簡単な説明】
【００１６】
【図１】山留め杭の載荷試験方法の実施態様を示す断面図
【図２】山留め杭の載荷試験方法の工程を示す断面図
【符号の説明】
【００１７】
１      山留め杭
１ａ    山留め杭の上方露出部分
１ｂ    山留め杭の下方埋設部分
５      構築物の躯体
７      ジャッキ
【図１】
2007211520.tif 000003
【図２】
2007211520.tif 000004